(57)【要約】【課題】本発明は、応答用のキーを含んだキー操作中であっても意図せず応答することを防ぐ携帯端末装置、着信応答方法及び着信応答プログラムの提供を目的とする。【解決手段】本願発明の携帯端末装置１０１は、予め設定された特定アプリケーションが起動しているときは操作部８に備わるいずれのキーが押下されても着信に応答せず、特定アプリケーション以外のアプリケーションが起動しているときは操作部８に備わるいずれのキーが押下されても着信に応答する制御部２を備える。【選択図】図１
2011114569.tif 000002
【特許請求の範囲】
【請求項１】
予め設定された特定アプリケーションが起動しているときはいずれのキーが押下されても着信に応答せず、前記特定アプリケーション以外のアプリケーションが起動しているときはいずれのキーが押下されても着信に応答する制御部
を備える携帯端末装置。
【請求項２】
筐体の特定の動作を検知するセンサをさらに備え、
前記制御部は、前記特定アプリケーションが起動しているとき、前記センサが前記特定の動作を検知することを契機に着信に応答する
請求項１に記載の携帯端末装置。
【請求項３】
前記センサは、前記筐体の特定の形状の変化を検知する
請求項２に記載の携帯端末装置。
【請求項４】
前記筐体は、折りたたみ可能な形状を有し、
前記センサは、前記筐体の開閉に起因する前記筐体の特定の形状の変化を検知する
請求項３に記載の携帯端末装置。
【請求項５】
前記筐体は、スライド可能な形状を有し、
前記センサは、前記筐体のスライドに起因する前記筐体の特定の形状の変化を検知する
請求項３に記載の携帯端末装置。
【請求項６】
前記センサは、前記筐体の特定の振動パターンを検知する
請求項２から５のいずれかに記載の携帯端末装置。
【請求項７】
前記制御部は、前記特定アプリケーションが起動しているとき、着信があった旨及びエニーキーアンサ機能の動作を停止する旨を一定時間にわたって画面に表示する
請求項１から６のいずれかに記載の携帯端末装置。
【請求項８】
予め設定された特定アプリケーションが起動しているときはいずれのキーが押下されても着信に応答せず、前記特定アプリケーション以外のアプリケーションが起動しているときはいずれのキーが押下されても着信に応答する応答手順
を有する着信応答方法。
【請求項９】
前記応答手順において、前記特定アプリケーションが起動しているときは、筐体の特定の動作を検知することを契機に着信に応答する
請求項８に記載の着信応答方法。
【請求項１０】
前記応答手順における前記筐体の特定の動作の検知は、前記筐体の特定の形状の変化の検知である
請求項９に記載の着信応答方法。
【請求項１１】
前記応答手順における前記筐体の特定の形状の変化の検知は、折りたたみ可能な形状を有する筐体の開閉に起因する前記筐体の特定の形状の変化の検知である
請求項１０に記載の着信応答方法。
【請求項１２】
前記応答手順における前記筐体の特定の形状の変化の検知は、スライド可能な形状を有する筐体のスライドに起因する前記筐体の特定の形状の変化の検知である
請求項１０に記載の着信応答方法。
【請求項１３】
前記応答手順における前記筐体の特定の動作の検知は、前記筐体の特定の振動パターンの検知である
請求項９から１２のいずれかに記載の着信応答方法。
【請求項１４】
前記応答手順において、前記特定アプリケーションが起動しているとき、着信があった旨及びエニーキーアンサ機能の動作を停止する旨を一定時間にわたって画面に表示する
請求項８から１３のいずれかに記載の着信応答方法。
【請求項１５】
予め設定された特定アプリケーションが起動しているときはいずれのキーが押下されても着信に応答せず、前記特定アプリケーション以外のアプリケーションが起動しているときはいずれのキーが押下されても着信に応答する応答ステップ
をコンピュータに実行させる着信応答プログラム。
【請求項１６】
前記応答ステップにおいて、前記特定アプリケーションが起動しているときは、筐体の特定の動作を検知することを契機に着信に応答する
請求項１５に記載の着信応答プログラム。
【請求項１７】
前記応答ステップにおける前記筐体の特定の動作の検知は、前記筐体の特定の形状の変化の検知である
請求項１６に記載の着信応答プログラム。
【請求項１８】
前記応答ステップにおける前記筐体の特定の形状の変化の検知は、折りたたみ可能な形状を有する筐体の開閉に起因する前記筐体の特定の形状の変化の検知である
請求項１７に記載の着信応答プログラム。
【請求項１９】
前記応答ステップにおける前記筐体の特定の形状の変化の検知は、スライド可能な形状を有する筐体のスライドに起因する前記筐体の特定の形状の変化の検知である
請求項１７に記載の着信応答プログラム。
【請求項２０】
前記応答ステップにおける前記筐体の特定の動作の検知は、前記筐体の特定の振動パターンの検知である
請求項１６から１９のいずれかに記載の着信応答プログラム。
【請求項２１】
前記応答ステップにおいて、前記特定アプリケーションが起動しているとき、着信があった旨及びエニーキーアンサ機能の動作を停止する旨を一定時間にわたって画面に表示する
請求項１５から２０のいずれかに記載の着信応答プログラム。
【発明の詳細な説明】
【技術分野】
【０００１】
本発明は、通話機能及びその他の機能を有する携帯端末装置及び着信応答方法に関する。
【背景技術】
【０００２】
いずれのキーが押下されても着信に応答するエニーキーアンサ機能を持つ携帯端末装置が提案されている（例えば、特許文献１〜５参照。）。
【０００３】
特許文献１に記載の携帯端末装置は、制御部と、を備え、以下のように動作する。メール作成画面を表示中に着信があった場合、制御部は、着信画面を表示する。このときに開始キーが押下されると、制御部は、通話可能な状態にする。開始キー以外のキーが押下されると、制御部は、着信に対する応答を無視してメール作成画面を表示する。これにより、メール文章作成中に着信があった場合でも、開始キー以外のキー操作に対するエニーキーアンサ機能が動作しないようにする。
【０００４】
特許文献２に記載の携帯端末装置は、制御部と、を備え、以下のように動作する。制御部は、着信があったときに数秒程度のタイマーを起動し、タイマーの動作中は応答用に指定された応答キーの押下に対しては着信に応答し、応答キー以外のキーの押下に対しては着信に応答しないように制御する。これにより、エニーキーアンサ機能を有した携帯電話機において、メモリダイヤル登録などのためのキー操作中に着信があっても、データ入力のためのキー操作により着信応答しないようにする。
【０００５】
特許文献３に記載の携帯端末装置は、制御部と、を備え、以下のように動作する。着信直前に表示されていた画像がエニーキーアンサ機能を抑止する画像であれば、制御部は、所定時間の間エニーキーアンサ機能を抑止する。一方、着信直前に表示されていた画像がエニーキーアンサ機能を抑止する画像でなければ、制御部は、エニーキーアンサ機能を動作させる。これにより、エニーキーアンサ機能の動作を制御する。
【０００６】
特許文献４に記載の携帯端末装置は、表示部と、中央制御部と、を備え、以下のように動作する。表示部は、主要操作が可能な優先画面と、一部操作が可能な非優先画面と、の両方の画面を表示する。中央制御部は、着信相手の優先度に基づいて、表示される着信画面を優先画面に表示したり非優先画面に表示したりする。これにより、着信相手の優先度に応じて、操作に応じた処理を適切に制御できるようにする。
【０００７】
特許文献５に記載の携帯端末装置は、制御部と、を備え、以下のように動作する。電話帳データ入力モードなどの連続したキー操作を行う環境下にある場合、制御部は、エニーキーアンサ機能を一時的に中止する。電話帳データ入力モードなどの連続したキー操作を行う環境下にない場合、制御部は、エニーキーアンサ機能を動作させる。
【先行技術文献】
【特許文献】
【０００８】
【特許文献１】特開２００２−１３５３７０号公報
【特許文献２】特開２００２−２７１４７４号公報
【特許文献３】特開２００６−１３５９１７号公報
【特許文献４】特開２００８−３１１７０５号公報
【特許文献５】特開平１１−２３４３６７号公報
【発明の概要】
【発明が解決しようとする課題】
【０００９】
エニーキーアンサ機能を備える携帯端末装置において、電話帳やメモ帳やスケジュールなどの情報登録最中や、メール作成中、携帯ゲーム実施中、電卓使用中、などといった各種アプリケーションを起動して操作している最中に着信があると、着信に対する応答を意図していないのににもかかわらず誤って応答してしまうことがある。また、着信動作により着信前のアプリケーションが一時中断されてしまうことがある。
【００１０】
携帯端末装置が多機能化されるにつれ、電話機能以外で多くのアプリケーション操作を行う機会も増えており、意図しない応答や操作中断をやむなくしてしまう状況が多くなっていくことが予想される。
【００１１】
特許文献１、特許文献２、特許文献４及び特許文献５に記載の携帯端末装置は、応答用のキーを押下すると応答してしまうため、応答用のキーを含んだキー操作中の場合は意図せず応答してしまう問題がある。
【００１２】
また、特許文献２に記載の携帯端末装置は、一定時間を超えタイマーがＯＦＦされると、いかなるキーでも応答してしまうため、一定時間内に着信前に行っていた操作を完了したくてもできない場合があるという問題がある。
【００１３】
特許文献３に記載の携帯端末装置は、着信後の一定時間内は着信に対する応答が出来ない問題がある。また、エニーキーアンサ機能ＯＦＦ中に連続するキー押下がなかった場合はエニーキーアンサ機能がＯＮとなり、着信前に行っていたアプリケーンを継続して行うことが出来なくなる問題がある。
【００１４】
そこで、本発明は、応答用のキーを含んだキー操作中であっても意図せず応答することを防ぐ携帯端末装置、着信応答方法及び着信応答プログラムの提供を目的とする。
【課題を解決するための手段】
【００１５】
本願発明の携帯端末装置は、予め設定された特定アプリケーションが起動しているときはいずれのキーが押下されても着信に応答せず、前記特定アプリケーション以外のアプリケーションが起動しているときはいずれのキーキーが押下されても着信に応答する制御部を備える。
【００１６】
本願発明の着信応答方法は、予め設定された特定アプリケーションが起動しているときはいずれのキーが押下されても着信に応答せず、前記特定アプリケーション以外のアプリケーションが起動しているときはいずれのキーが押下されても着信に応答する応答手順を有する。
【００１７】
本願発明の着信応答プログラムは、予め設定された特定アプリケーションが起動しているときはいずれのキーが押下されても着信に応答せず、前記特定アプリケーション以外のアプリケーションが起動しているときはいずれのキーが押下されても着信に応答する応答ステップをコンピュータに実行させる。
【発明の効果】
【００１８】
本発明によれば、応答用のキーを含んだキー操作中であっても意図せず応答することを防ぐ携帯端末装置、着信応答方法及び着信応答プログラムを提供することができる。
【図面の簡単な説明】
【００１９】
【図１】実施形態１に係る携帯端末装置の一例を示す。
【図２】実施形態１に係る着信応答方法の一例を示す。
【図３】実施形態１に係る着信応答プログラムの一例を示す。
【図４】実施形態２に係る携帯端末装置の一例を示す。
【図５】実施形態３に係る携帯端末装置の一例を示す。
【図６】特定のアプリケーションの設定例を示す。
【図７】エニーキーアンサ機能以外の応答に設定するか又はしないかの設定の一例を示す。
【図８】着信があった場合の制御部の動作の一例を示す。
【図９】通知画面の一例を示す。
【発明を実施するための形態】
【００２０】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２１】
（実施形態１）
図１に、実施形態１に係る携帯端末装置の一例を示す。実施形態１に係る携帯端末装置１０１は、操作部８と、制御部２を備える。操作部８は、複数のキーを備える。制御部２は、予め設定された特定アプリケーションが起動しているときはいずれのキーが押下されても着信に応答せず、特定アプリケーション以外のアプリケーションが起動しているときはいずれのキーが押下されても着信に応答する。
【００２２】
これにより、予め指定した特定アプリケーションが起動していなかった場合はエニーキーアンサによる応答手段を用い、特定アプリケーションが起動していた場合はエニーキーアンサ以外による着信応答手段を用いることができる。したがって、応答用のキーを含んだキー操作中であっても意図せず応答することを防ぐことができる。特に、着信前に行っていた操作が継続して行え、着信応答も任意で行うことができる。また、着信後、一定時間は応答を行えないといったことも解決できる。
【００２３】
携帯端末装置１０１は、実施形態１に係る着信応答方法を実行する。図２に、実施形態１に係る着信応答方法の一例を示す。実施形態１に係る着信応答方法は、応答手順Ｓ１１１を有する。応答手順Ｓ１１１では、予め設定された特定アプリケーションが起動しているときはいずれのキーが押下されても着信に応答せず、特定アプリケーション以外のアプリケーションが起動しているときはいずれのキーが押下されても着信に応答する。
【００２４】
これにより、予め指定した特定アプリケーションが起動していなかった場合はエニーキーアンサによる応答方法を用い、特定アプリケーションが起動していた場合はエニーキーアンサ以外による着信応答方法を用いることができる。したがって、応答用のキーを含んだキー操作中であっても意図せず応答することを防ぐことができる。特に、着信前に行っていた操作が継続して行え、着信応答も任意で行うことができる。また、着信後、一定時間は応答を行えないといったことも解決できる。
【００２５】
実施形態１に係る着信応答プログラムを実行することで、携帯端末装置１０１を実現してもよい。図３に、実施形態１に係る着信応答プログラムの一例を示す。実施形態１に係る着信応答プログラムは、応答ステップＳ２１１をコンピュータに実行させる。応答ステップＳ２１１では、予め設定された特定アプリケーションが起動しているときはいずれのキーが押下されても着信に応答せず、特定アプリケーション以外のアプリケーションが起動しているときはいずれのキーが押下されても着信に応答する。
【００２６】
これにより、予め指定した特定アプリケーションが起動していなかった場合はエニーキーアンサによる応答手段を用い、特定アプリケーションが起動していた場合はエニーキーアンサ以外による着信応答手段を用いることができる。したがって、応答用のキーを含んだキー操作中であっても意図せず応答することを防ぐことができる。特に、着信前に行っていた操作が継続して行え、着信応答も任意で行うことができる。また、着信後、一定時間は応答を行えないといったことも解決できる。
【００２７】
（実施形態２）
図４に、実施形態２に係る携帯端末装置の一例を示す。実施形態２に係る携帯端末装置１０２は、操作部８と、制御部２と、センサ３と、を備える。
【００２８】
図４に示すセンサ３は、携帯端末装置１０２の筐体の特定の動作を検知する。制御部２は、特定アプリケーションが起動しているとき、センサ３が特定の動作を検知することを契機に着信に応答する。携帯端末装置１０２の筐体を用いるため、いずれのキーも押下せずに着信に応答することができる。したがって、携帯端末装置１０２のユーザーは、キー操作を継続することができる。
【００２９】
この場合、携帯端末装置１０２は、以下の着信応答方法を実行する。図２に示す応答手順Ｓ１１１において、特定アプリケーションが起動しているときは、携帯端末装置１０２の筐体の特定の動作を検知することを契機に着信に応答する。
【００３０】
この場合、実施形態２に係る着信応答プログラムを実行することで、携帯端末装置１０２を実現してもよい。図３に示す応答ステップＳ２１１において、特定アプリケーションが起動しているときは、携帯端末装置１０２の筐体の特定の動作を検知することを契機に着信に応答する。
【００３１】
図４に示すセンサ３は、携帯端末装置１０２の筐体の特定の形状の変化を検知する。これにより、携帯端末装置１０２の形状が変化する場合は、その形状の変化を利用して着信に応答することができる。
【００３２】
例えば、携帯端末装置１０２の筐体が折りたたみ可能な形状を有する場合、図４に示すセンサ３は、携帯端末装置１０２の筐体の開閉に起因する筐体の特定の形状の変化を検知する。例えば、携帯端末装置１０２の筐体がスライド可能な形状を有する場合、図４に示すセンサ３は、携帯端末装置１０２の筐体のスライドに起因する筐体の特定の形状の変化を検知する。
【００３３】
この場合、携帯端末装置１０２は、以下の着信応答方法を実行する。図２に示す応答手順Ｓ１１１における筐体の特定の動作の検知は、筐体の特定の形状の変化の検知である。ここで、筐体の特定の形状の変化の検知は、折りたたみ可能な形状を有する筐体の開閉に起因する筐体の特定の形状の変化の検知である。また、筐体の特定の形状の変化の検知は、スライド可能な形状を有する筐体のスライドに起因する筐体の特定の形状の変化の検知である。
【００３４】
この場合、実施形態２に係る着信応答プログラムを実行することで、携帯端末装置１０２を実現してもよい。図３に示す応答ステップＳ２１１における筐体の特定の動作の検知は、筐体の特定の形状の変化の検知である。筐体の特定の形状の変化の検知は、折りたたみ可能な形状を有する筐体の開閉に起因する筐体の特定の形状の変化の検知である。また、筐体の特定の形状の変化の検知は、スライド可能な形状を有する筐体のスライドに起因する筐体の特定の形状の変化の検知である。
【００３５】
図４に示すセンサ３は、携帯端末装置１０２の筐体の特定の振動パターンを検知する。これにより、携帯端末装置１０２の形状が変化しない場合であっても、いずれのキーも押下せずに着信に応答することができる。
【００３６】
例えば、センサ３は、携帯端末装置１０２を振ったときに生じる振動を検知する。また、センサ３は、携帯端末装置１０２を叩いたときに生じる振動を検知する。
【００３７】
この場合、携帯端末装置１０２は、以下の着信応答方法を実行する。図２に示す応答手順Ｓ１１１における筐体の特定の動作の検知は、筐体の特定の振動パターンの検知である。
【００３８】
この場合、実施形態２に係る着信応答プログラムを実行することで、携帯端末装置１０２を実現してもよい。図３に示す応答ステップＳ２１１において、応答ステップＳ２１１における筐体の特定の動作の検知は、筐体の特定の振動パターンの検知である。
【００３９】
図４に示す制御部２は、特定アプリケーションが起動しているとき、着信があった旨及びエニーキーアンサ機能の動作を停止する旨を一定時間にわたって画面に表示する。これにより、携帯端末装置１０２は着信があったことを認識しつつ、キー操作を継続することができる。
【００４０】
この場合、携帯端末装置１０２は、以下の着信応答方法を実行する。図２に示す応答手順Ｓ１１１において、特定アプリケーションが起動しているとき、着信があった旨及びエニーキーアンサ機能の動作を停止する旨を一定時間にわたって画面に表示する。
【００４１】
この場合、実施形態２に係る着信応答プログラムを実行することで、携帯端末装置１０２を実現してもよい。図３に示す応答ステップＳ２１１において、特定アプリケーションが起動しているとき、着信があった旨及びエニーキーアンサ機能の動作を停止する旨を一定時間にわたって画面に表示する。
【００４２】
（実施形態３）
図５に、実施形態３に係る携帯端末装置の一例を示す。実施形態３に係る携帯端末装置１０３は、タイマー２０１と、制御部２０２と、加速度センサ２０３と、表示部２０４と、アンテナ２０５と、無線部２０６と、メモリ部２０７と、操作部２０８と、ＬＥＤ（Ｌｉｇｈｔ  Ｅｍｉｔｔｉｎｇ  Ｄｉｏｄｅ）２０９と、バイブレータ２１０と、音声コーデック部２１１と、スピーカ２１２と、マイク２１３と、タッチパネル２１４と、を備える。
【００４３】
携帯端末装置１０３は、携帯端末装置１０１及び携帯端末装置１０２として機能する。例えば、制御部２０２は、制御部２として機能する。加速度センサ２０３は、センサ３として機能する。操作部２０８は、操作部８として機能する。
【００４４】
無線部２０６は、アンテナ２０５を介して無線基地局と無線信号の送受信を行う。制御部２０２は、携帯端末装置１０３本体を制御する。メモリ部２０７は、制御プログラムや各種設定情報を記憶しておく。操作部２０８は、ユーザーが携帯電話を操作するための各種キーを備える。表示部２０４は、携帯端末装置１０３の状態や情報を表示する。タッチパネル２１４は、表示部２０４上のタッチで操作を行うことができる。タイマー２０１は、一定時間計測する。加速度センサ２０３は、携帯端末装置１０３の筐体の変形や振動などの動作を検知する。ＬＥＤ２０９は、携帯端末装置１０３の状態をユーザーに知らせるために発光する。バイブレータ２１０は、携帯端末装置１０３の状態をユーザーに知らせるために振動する。音声コーデック部２１１は、音声信号のＡ／Ｄ変換またはＤ／Ａを行う。スピーカ２１２は、音声を出力する。マイク２１３は、音声を入力する。
【００４５】
携帯端末装置１０３は通話以外の各種アプリケーションを備えている。例えば、メール機能、スケジュール機能、電話帳登録、メモ帳機能、ゲーム機能、電卓機能、などがある。これらのアプリケーションを操作するには、ユーザーは操作部２０８のキー、またはタッチパネル２１４を用いて制御部２０２へ入力を行う。このとき、入力情報は表示部２０４に表示され、データはメモリ部２０７に記憶される。
【００４６】
メモリ部２０７は、特定アプリケーションを保存する。例えば、着信時にアプリケーションが起動していた場合にエニーキーアンサ以外の応答に設定するかどうかの設定を保存しておく。図６に、特定のアプリケーションの設定例を示す。エニーキーアンサ機能以外の応答に設定するか又はしないかの選択を、アプリケーションごとに可能とする。
【００４７】
図７に、エニーキーアンサ機能以外の応答に設定するか又はしないかの設定の一例を示す。着信時に予めメモリ部２０７にて登録されていないアプリケーションが起動していた場合は、制御部２０２にて、着信応答方法をエニーキーアンサとする。着信時に予めメモリ部２０７にて登録されている特定アプリケーションが起動していた場合は、制御部２０２にて、着信応答方法をエニーキーアンサ以外の応答に設定する。
【００４８】
着信応答方法がエニーキーアンサ以外に設定された場合、着信通知を中断し、着信前に起動していたアプリケーションを継続実施できる。またキー操作なども継続実施でき、着信応答したい場合は、ユーザーが任意のタイミングで応答できる。
【００４９】
図８に、着信があった場合の制御部の動作の一例を示す。
手順Ｓ４０１では、着信があると、アンテナ２０５を介して無線部２０６が受信する。手順Ｓ４０２では、制御部２０２が、予め設定された特定アプリケーションが起動しているか否かを判定する。特定アプリケーションが起動している場合は手順Ｓ４０３に移行し、特定アプリケーションが起動していない場合は手順Ｓ４０９に移行する。
【００５０】
手順Ｓ４０３では、着信に対する応答方法をエニーキーアンサ以外の応答方法に設定する。手順Ｓ４０４では、着信があったことを通知する。このとき、スピーカ２１２から鳴音、ＬＥＤ２０９の点灯、バイブレータ２１０の振動などの動作を行うとともに、応答方法がエニーキーアンサ以外である旨及び発信元情報を表示部２０４に表示する。図９に、通知画面の一例を示す。
【００５１】
手順Ｓ４０５では、タイマー２０１は、一定時間が経過したら、着信通知を停止し、着信前に起動していたアプリケーションを継続する。一定時間は、任意であるが、ユーザーが着信認知する程度の時間であることが好ましい。
【００５２】
手順Ｓ４０６では、エニーキーアンサ以外の応答を検知したか否かを判定する。エニーキーアンサ以外の応答を検知したら手順Ｓ４０７に移行し、エニーキーアンサ以外の応答を検知しなければエニーキーアンサ以外の応答を検知したか否かの判定を繰り返す。
【００５３】
手順Ｓ４０９では、着信に対する応答方法をエニーキーアンサの応答方法に設定する。手順Ｓ４１０では、着信があったことを通知する。このとき、スピーカ２１２から鳴音、ＬＥＤ２０９の点灯、バイブレータ２１０の振動などの動作を行うとともに、応答方法がエニーキーアンサである旨及び発信元情報を表示部２０４に表示する。
【００５４】
手順Ｓ４１１では、キーの押下を検知したか否かを判定する。キーの押下を検知した場合は手順Ｓ４０７に移行し、キーの押下を検知しなければキーの押下を検知したか否かの判定を繰り返す。
【００５５】
手順Ｓ４０７では、起動しているアプリケーションを中断し、着信応答を行う。手順Ｓ４０８では、マイク２１３、スピーカ２１２を用いて通話を開始する。
以上が着信から応答までの説明となる。
【００５６】
ここまでで、エニーキーアンサ以外の応答方法、という表現をしているが、これについて説明する。エニーキーアンサ以外の応答方法とは、着信後に各種アプリケーションを継続操作可能となるような、応答方法である。例えば、加速度センサを用いた振動パターンの検知、携帯電話のスタイル変更（開閉やスライド動作など）、などが考えられる。
【００５７】
したがって、エニーキーアンサ機能を備える携帯端末装置において、メール、電話帳、メモ帳、スケジュール帳、ゲーム、電卓、などといった各種アプリケーション操作中に、意図しない着信応答を回避できる。また、着信の以前に行っていたアプリケーション操作も継続して行うことができ、着信に対する応答もユーザーの意図したタイミングで行うことができる。
【００５８】
なお、本実施形態では、表示部２０４の画面上部や下部に発信元情報を表示してもよい。また、表示部２０４がメインディスプレイとは別にサブディスプレイを有する場合は、メインディスプレイとは別のディスプレイに発信元情報を表示してもよい。
【産業上の利用可能性】
【００５９】
本発明は、情報通信産業に適用することができる。
【符号の説明】
【００６０】
２：制御部
３：センサ
８：操作部
１０１、１０２、１０３：携帯端末装置
２０１：タイマー
２０２：制御部
２０３：加速度センサ
２０４：表示部
２０５：アンテナ
２０６：無線部
２０７：メモリ部
２０８：操作部
２０９：ＬＥＤ
２１０：バイブレータ
２１１：音声コーデック部
２１２：スピーカ
２１３：マイク
２１４：タッチパネル
【図１】
2011114569.tif 000003
【図２】
2011114569.tif 000004
【図３】
2011114569.tif 000005
【図４】
2011114569.tif 000006
【図５】
2011114569.tif 000007
【図６】
2011114569.tif 000008
【図７】
2011114569.tif 000009
【図８】
2011114569.tif 000010
【図９】
2011114569.tif 000011